(57)【要約】【課題】互いに直接通信を行なう状況通信端末同士であっても、ネットワークを介して使用者の生態に関する情報や周辺環境に関する情報の通信が容易に通信が行なえる状況通信システム、状況通信方法、状況収集端末、及び、状況収集プログラムを提供する。【解決手段】使用者の状態や周辺環境の情報を計測して計測した計測情報に基づいて算出された前記使用者個人の状況若しくは前記周辺環境の状況の情報である第一状況情報を送信する第一状況通信装置と通信し、且つ、ネットワークを介してサーバと通信する状況収集端末であって、一つ又は複数の前記第一状況通信装置から送信された前記第一状況情報を収集する第一収集手段と、前記第一収集手段により収集された前記第一状況情報を所定の条件で集約した算出する第二算出手段と、前記第二算出手段により算出された前記第二状況情報を前記サーバに送信する第二送信手段とを備えことを特徴とする。【選択図】        図１
2007173895.tif 000002
【特許請求の範囲】
【請求項１】
第一状況通信端末と、前記第一状況通信端末と通信可能な状況収集端末と、前記状況収集端末とネットワークを介して通信可能なサーバとを備えた状況通信システムであって、
前記第一状況通信端末は、
使用者の生体情報又は周辺環境の情報を計測する一つまたは複数の計測手段と、
前記計測手段により計測された計測情報に基づいて前記使用者個人の状況若しくは周辺環境の状況の情報である第一状況情報を算出する第一算出手段と、
前記第一算出手段により算出された前記第一状況情報を送信する第一送信手段とを備え、
前記状況収集端末は、
一つまたは複数の前記第一状況通信端末の前記第一送信手段から送信される前記第一状況情報を収集する第一収集手段と、
前記第一収集手段により収集された前記第一状況情報を所定の条件で集約した第二状況情報を算出する第二算出手段と、
前記第二算出手段により算出された前記第二状況情報を送信する第二送信手段とを備え、
前記サーバは、
前記状況収集端末の前記第二送信手段から送信される前記第二状況情報を受信する受信手段と、
前記受信手段により受信した前記第二状況情報を記憶する記憶手段とを備えたことを特徴とする状況通信システム。
【請求項２】
第一状況通信端末と、前記第一状況通信端末と通信可能な状況収集端末と、前記状況収集端末とネットワークを介して通信可能なサーバとを備えた状況通信システムにて行なわれる状況通信方法であって、
前記第一状況通信端末において、
使用者の生体情報又は周辺環境の情報を計測する計測工程と、
前記計測工程により計測された計測情報に基づいて前記使用者個人の状況若しくは周辺環境の状況の情報である第一状況情報を算出する第一算出工程と、
前記第一算出工程により算出された前記第一状況情報を送信する第一送信工程とを行い、
前記状況収集端末において、
一つまたは複数の前記第一状況通信端末の前記第一送信工程において送信される前記第一状況情報を収集する第一収集工程と、
前記第一収集工程により収集された前記第一状況情報を所定の条件で集約した第二状況情報を算出する第二算出工程と、
前記第二算出工程により算出された前記第二状況情報を送信する第二送信工程とを行い、
前記サーバにおいて、
前記状況収集端末の前記第二送信工程により送信される前記第二状況情報を受信する受信工程と、
前記受信工程により受信した前記第二状況情報を記憶する記憶工程とを行うことを特徴とする状況通信方法。
【請求項３】
使用者の状態や周辺環境の情報を計測して計測した計測情報に基づいて算出された前記使用者個人の状況若しくは前記周辺環境の状況の情報である第一状況情報を送信する第一状況通信装置と通信し、且つ、ネットワークを介してサーバと通信する状況収集端末であって、
一つ又は複数の前記第一状況通信装置から送信された前記第一状況情報を収集する第一収集手段と、
前記第一収集手段により収集された前記第一状況情報を所定の条件で集約した第二状況情報を算出する第二算出手段と、
前記第二算出手段により算出された前記第二状況情報を前記サーバに送信する第二送信手段とを備えことを特徴とする状況収集端末。
【請求項４】
前記第二算出手段により算出された前記第二状況情報を前記第一状況通信端末に送信する第三送信手段を備えたことを特徴とする請求項３記載の状況収集端末。
【請求項５】
前記サーバは、
使用者の状態や周辺環境の情報を計測してその計測情報に基づいて第一状況情報を算出する第二状況通信端末、若しくは、他の状況収集端末とネットワークを介して通信し、
且つ、前記第二状況通信端末により算出された前記第一状況情報、若しくは、他の状況収集端末により算出された第二状況情報を記憶するものであって、
本状況収集端末は、
前記サーバから前記第二状況通信端末により算出された前記第一状況情報若しくは他の状況収集端末により算出された前記第二状況情報を収集する第二収集手段を備えたことを特徴とする請求項３または請求項４のいずれかに記載の状況収集端末。
【請求項６】
前記第二算出手段で算出された前記第二状況情報と、前記第二収集手段で収集した前記第一状況情報若しくは前記第二収集手段で収集した前記第二状況情報とを所定の条件で集約した第三状況情報を算出する第三算出手段を備えたことを特徴とする請求項５に記載の状況収集端末。
【請求項７】
前記第二収集手段により収集した前記第一状況情報若しくは前記第二状況情報若しくは前記第三状況情報を前記第一状況通信端末に送信する第四送信手段を備えたことを特徴とする請求項６に記載の状況収集端末。
【請求項８】
前記第二収集手段で収集する前記第一状況情報若しくは前記第二状況情報を指定する指定手段を備え、
前記第二収集手段は、少なくとも前記指定手段で指定された前記第一状況情報若しくは前記第二状況情報を含んだ情報を収集することを特徴とする請求項５から請求項７のいずれかに記載の状況収集端末。
【請求項９】
任意の画像を表示する表示部と、
前記第二算出手段により算出された前記第二状況情報に基づいて前記表示部の表示を制御する表示制御部とを備えたことを特徴とする請求項３から請求項８のいずれかに記載の状況収集端末。
【請求項１０】
任意の画像を表示する表示部と、
前記第二収集手段により収集した前記第一状況情報若しくは前記第二状況情報に基づいて前記表示部の表示を制御する表示制御部とを備えたことを特徴とする請求項５から請求項８のいずれかに記載の状況収集端末。
【請求項１１】
任意の画像を表示する表示部と、
前記第三算出手段により算出された前記第三状況情報に基づいて前記表示部の表示を制御する表示制御部とを備えたことを特徴とする請求項６から請求項８のいずれかに記載の状況収集端末。
【請求項１２】
任意の画像を表示する表示部と、
前記表示部の表示領域の一部である第一表示領域の表示を前記第二算出手段により算出された前記第二状況情報に基づいて制御し、前記表示領域の別の一部である第二表示領域の表示を前記第二収集手段により収集した前記第一状況情報若しくは前記第二状況情報に基づいて制御する表示制御部とを備えたことを特徴とする請求項５から請求項８のいずれかに記載の状況収集端末。
【請求項１３】
使用者の状態や周辺環境の情報を計測して計測した計測情報に基づいて算出された前記使用者個人の状況の情報である第一状況情報を送信する第一状況通信装置と通信し、且つ、ネットワークを介してサーバと通信する状況収集端末のコンピュータを、
一つ又は複数の前記第一状況通信装置から送信された前記第一状況情報を収集する第一収集手段と、
前記第一収集手段により収集された前記第一状況情報を所定の条件で集約した第二状況情報を算出する第二算出手段と、
前記第二算出手段により算出された前記第二状況情報を前記サーバに送信する第二送信手段として機能させることを特徴とする状況収集プログラム。
【発明の詳細な説明】
【技術分野】
【０００１】
本発明は、状況通信システム、状況通信方法、状況収集端末、及び、状況収集プログラムに関する。
【背景技術】
【０００２】
従来、使用者同士の円滑なコミュニケーションのために、情報交信に際して感情変化等を送信することが可能なシステムが知られており、感情変化をリアルタイムに相互更新することが可能なものも提案されている（例えば、特許文献１）。このようなシステムでは、情報更新用端末に検出機構が設けられ、検出機構で検出された感情変化に基づいて、情報交信元の喜怒哀楽の程度が判定され、その判定結果が情報交信先に送信される。そして、受信した情報交信先の情報交信用端末では、受信した情報交信元の感情変化を報知する報知機構を備え、画像、音声、振動等により報知している。
【０００３】
【特許文献１】特開２００５−７２７４３号公報
【発明の開示】
【発明が解決しようとする課題】
【０００４】
上記システムにおいては、複数の情報交信端末間を直接ネットワークを介して接続しているため、複数の端末を指定して情報を交信しようとする場合や、複数の端末から指定されて情報を交信しようとする場合には、接続数が増加し、通信処理に対する端末の負担が大きくなり、通信の遅延を招く場合もあった。
【０００５】
これに対し、本願出願人は、特願２００５−２２０２７１号において、仲介サーバを介さずに各状況通信端末同士で通信を行ない、使用者の生体に関する情報や周辺環境に関する情報を複数の端末間で通信し、複数の状況通信端末の使用者の生態に関する情報を集約した情報や、周辺環境に関する情報を集約した情報を各状況通信端末の使用者に伝達することのできる状況通信端末及び状況通信端末プログラムを提案した。
【０００６】
しかしながら、特願２００５−２２０２７１号における状況通信端末では、直接、状況通信端末同士が通信を行なっていたため、通信を行なえる範囲に制限があるという問題があった。
【０００７】
またこれとは別に、本願出願人は、上記問題を解決するために、特願２００５−２９９５６１号において、使用者の生体に関する情報や周辺環境に関する情報を複数の端末間で通信する場合に、通信負荷を軽減することのできる状況通信システム、状況通信方法、状況通信サーバ、状況通信サーバプログラム、状況通信端末、及び状況通信端末プログラムを提案した。特願２００５−２９９５６１号に記載された状況通信端末によれば、その指定端末にかかわらず、仲介サーバと通信を行ない、仲介サーバから指定端末を含めた全端末の情報を得て、指定端末の状況を表現することができる。従って、指定端末が複数の状況通信端末で重複するような場合であっても、通信は各状況通信端末と仲介サーバとの間に限られるため通信負荷が軽くなる。
【０００８】
本発明は、上述した特願２００５−２２０７１号のような問題点を解決するためになされたものであり、互いに直接通信を行なう状況通信端末の使用者同士で形成されるコミュニティ全体の使用者の生体に関する情報若しくは周辺環境に関する情報を集約した情報の通信が容易に行なえる状況通信システム、状況通信方法、状況収集端末、及び、状況収集プログラムを提供する。
【課題を解決するための手段】
【０００９】
この目的を達成するために、請求項１記載の状況通信システムは、第一状況通信端末と、前記第一状況通信端末と通信可能な状況収集端末と、前記状況収集端末とネットワークを介して通信可能なサーバとを備えた状況通信システムであって、前記第一状況通信端末は、使用者の生体情報又は周辺環境の情報を計測する一つまたは複数の計測手段と、前記計測手段により計測された計測情報に基づいて前記使用者個人の状況若しくは周辺環境の状況の情報である第一状況情報を算出する第一算出手段と、前記第一算出手段により算出された前記第一状況情報を送信する第一送信手段とを備え、前記状況収集端末は、
一つまたは複数の前記第一状況通信端末の前記第一送信手段から送信される前記第一状況情報を収集する第一収集手段と、前記第一収集手段により収集された前記第一状況情報を所定の条件で集約した第二状況情報を算出する第二算出手段と、前記第二算出手段により算出された前記第二状況情報を送信する第二送信手段とを備え、前記サーバは、前記状況収集端末の前記第二送信手段から送信される前記第二状況情報を受信する受信手段と、前記受信手段により受信した前記第二状況情報を記憶する記憶手段とを備えたことを特徴とする。
【００１０】
また、請求項２記載の状況通信方法は、第一状況通信端末と、状況収集端末と、サーバとを備えた状況通信システムにて行なわれる状況通信方法であって、前記第一状況通信端末において、使用者の生体情報又は周辺環境の情報を計測する計測工程と、前記計測工程により計測された計測情報に基づいて前記使用者個人の状況若しくは周辺環境の状況の情報である第一状況情報を算出する第一算出工程と、前記第一算出工程により算出された前記第一状況情報を送信する第一送信工程とを行い、前記状況収集端末において、一つまたは複数の前記第一状況通信端末の前記第一送信工程において送信される前記第一状況情報を収集する第一収集工程と、前記第一収集工程により収集された前記第一状況情報を所定の条件で集約した第二状況情報を算出する第二算出工程と、前記第二算出工程により算出された前記第二状況情報を送信する第二送信工程とを行い、前記サーバにおいて、前記状況収集端末の前記第二送信工程により送信される前記第二状況情報を受信する受信工程と、前記受信工程により受信した前記第二状況情報を記憶する記憶工程とを行うことを特徴とする。
【００１１】
また、請求項３記載の状況収集端末は、使用者の状態や周辺環境の情報を計測して計測した計測情報に基づいて算出された前記使用者個人の状況若しくは前記周辺環境の状況の情報である第一状況情報を送信する第一状況通信装置と通信し、且つ、ネットワークを介してサーバと通信する状況収集端末であって、一つ又は複数の前記第一状況通信装置から送信された前記第一状況情報を収集する第一収集手段と、前記第一収集手段により収集された前記第一状況情報を所定の条件で集約した第二状況情報を算出する第二算出手段と、前記第二算出手段により算出された前記第二状況情報を前記サーバに送信する第二送信手段とを備えことを特徴とする。
【００１２】
また、請求項４記載の状況収集端末は、請求項３記載の状況収集端末であって、前記第二算出手段により算出された前記第二状況情報を前記第一状況通信端末に送信する第三送信手段を備えたことを特徴とする。
【００１３】
また、請求項５記載の状況収集端末は、請求項３または請求項４のいずれかに記載の状況収集端末であって、前記サーバは、使用者の状態や周辺環境の情報を計測してその計測情報に基づいて第一状況情報を算出する第二状況通信端末、若しくは、他の状況収集端末とネットワークを介して通信し、且つ、前記第二状況通信端末により算出された前記第一状況情報、若しくは、他の状況収集端末により算出された第二状況情報を記憶するものであって、本状況収集端末は、前記サーバから前記第二状況通信端末により算出された前記第一状況情報若しくは他の状況収集端末により算出された前記第二状況情報を収集する第二収集手段を備えたことを特徴とする。
【００１４】
また、請求項６記載の状況収集端末は、請求項５に記載の状況収集端末であって、前記第二算出手段で算出された前記第二状況情報と、前記第二収集手段で収集した前記第一状況情報若しくは前記第二収集手段で収集した前記第二状況情報とを所定の条件で集約した第三状況情報を算出する第三算出手段を備えたことを特徴とする。
【００１５】
また、請求項７記載の状況収集端末は、請求項６に記載の状況収集端末であって、前記第二収集手段により収集した前記第一状況情報若しくは前記第二状況情報若しくは前記第三状況情報を前記第一状況通信端末に送信する第四送信手段を備えたことを特徴とする。
【００１６】
また、請求項８記載の状況収集端末は、請求項５から請求項７のいずれかに記載の状況収集端末であって、前記第二収集手段で収集する前記第一状況情報若しくは前記第二状況情報を指定する指定手段を備え、前記第二収集手段は、少なくとも前記指定手段で指定された前記第一状況情報若しくは前記第二状況情報を含んだ情報を収集することを特徴とする。
【００１７】
また、請求項９記載の状況収集端末は、請求項３から請求項８のいずれかに記載の状況収集端末であって、任意の画像を表示する表示部と、前記第二算出手段により算出された前記第二状況情報に基づいて前記表示部の表示を制御する表示制御部とを備えたことを特徴とする。
【００１８】
また、請求項１０記載の状況収集端末は、請求項５から請求項８のいずれかに記載の状況収集端末であって、任意の画像を表示する表示部と、前記第二収集手段により収集した前記第一状況情報若しくは前記第二状況情報に基づいて前記表示部の表示を制御する表示制御部とを備えたことを特徴とする。
【００１９】
また、請求項１１記載の状況収集端末は、請求項６から請求項８のいずれかに記載の状況収集端末であって、任意の画像を表示する表示部と、前記第三算出手段により算出された前記第三状況情報に基づいて前記表示部の表示を制御する表示制御部とを備えたことを特徴とする。
【００２０】
また、請求項１２記載の状況収集端末は、請求項５から請求項８のいずれかに記載の状況収集端末であって、任意の画像を表示する表示部と、前記表示部の表示領域の一部である第一表示領域の表示を前記第二算出手段により算出された前記第二状況情報に基づいて制御し、前記表示領域の別の一部である第二表示領域の表示を前記第二収集手段により収集した前記第一状況情報若しくは前記第二状況情報に基づいて制御する表示制御部とを備えたことを特徴とする。
【００２１】
また、請求項１３記載の状況収集プログラムは、使用者の状態や周辺環境の情報を計測して計測した計測情報に基づいて算出された前記使用者個人の状況の情報である第一状況情報を送信する第一状況通信装置と通信し、且つ、ネットワークを介してサーバと通信する状況収集端末のコンピュータを、一つ又は複数の前記第一状況通信装置から送信された前記第一状況情報を収集する第一収集手段と、前記第一収集手段により収集された前記第一状況情報を所定の条件で集約した第二状況情報を算出する第二算出手段と、前記第二算出手段により算出された前記第二状況情報を前記サーバに送信する第二送信手段として機能させることを特徴とする。
【発明の効果】
【００２２】
請求項１記載の状況通信システムによれば、前記状況収集端末の前記第一収集手段が前記第一状況通信端末から第一状況情報を収集し、前記第二算出手段が前記第二状況情報を算出し、前記第二送信手段が前記サーバへ前記第二状況情報を送信することができる。このため前記サーバには前記第二状況情報が蓄積されるため、前記サーバとネットワークを介して通信可能な端末（例えばＰＣ等）を用いれば、その端末の使用者は、前記第一状況通信端末の前記使用者全体若しくは前記周辺環境全体の状況を反映した情報を取得できる。
【００２３】
また、請求項２記載の状況通信方法によれば、前記状況収集端末の前記第一収集工程において前記第一状況通信端末から第一状況情報を収集し、前記第二算出工程において前記第二状況情報を算出し、前記第二送信工程において前記サーバへ前記第二状況情報を送信することができる。このため前記サーバには前記第二状況情報が蓄積されるため、前記サーバとネットワークを介して通信可能な端末を用いれば、その端末の使用者は、前記第一状況通信端末の前記使用者全体若しくは前記環境全体の状況を反映した情報を、通信が行なえる範囲に制限なく取得できる。
【００２４】
また、請求項３記載の状況収集端末によれば、前記状況収集端末の前記第一収集手段が前記第一状況通信端末から第一状況情報を収集し、前記第二算出手段が前記第二状況情報を算出し、前記第二送信手段が前記サーバへ前記第二状況情報を送信することができる。このため前記サーバには前記第二状況情報が蓄積されるため、前記サーバとネットワークを介して通信可能な端末を用いれば、その端末の使用者は、前記第一状況通信端末の前記使用者全体若しくは前記環境全体の状況を反映した情報を取得できる。
【００２５】
また、請求項４記載の状況収集端末によれば、請求項３記載の状況収集端末が奏する効果に加え、前記第三送信手段が前記第二状況情報を前記第一状況通信端末に送信するので、前記第一状況通信端末の使用者は、前記第一状況通信端末の前記使用者全体若しくは前記環境全体の状況を反映した情報を取得できる。
【００２６】
また、請求項５記載の状況収集端末によれば、請求項３または請求項４のいずれかに記載の状況収集端末が奏する効果に加え、前記第二収集手段により、前記第二状況通信端末の使用者若しくは周辺環境の状況の情報、又は、前記他の状況収集端末と通信する前記状況通信端末の前記使用者全体若しくは前記周辺環境全体の状況を反映した情報を取得できる。
【００２７】
また、請求項６記載の状況収集端末によれば、請求項５記載の状況収集端末が奏する効果に加え、前記第三算出手段が前記第二算出手段で算出した前記第二状況情報と、前記第二収集手段で収集した前記第一状況情報若しくは前記第二収集手段で収集した前記第二状況情報とに基づいて、前記第三状況情報を算出するので、前記第一状況通信端末の前記使用者若しくは前記周辺環境の状況の情報と、前記第二状況通信端末の使用者若しくは環境又は他の状況収集端末と通信する前記状況通信端末の全使用者若しくは全周辺環境の状況の情報とを反映した第三状況情報を算出することができる。
【００２８】
また、請求項７記載の状況収集端末によれば、前記第四送信手段が、前記第二収集手段により収集した前記第一状況情報若しくは前記第二状況情報若しくは前記第三状況情報を前記第一状況通信端末に送信するので、前記第一状況通信端末の使用者は前記第二収集手段により収集した前記第一状況情報若しくは前記第二状況情報若しくは前記第三状況情報を取得できる。
【００２９】
また、請求項８記載の状況収集端末によれば、請求項５から請求項７のいずれかに記載の状況収集端末が奏する効果に加え、前記指定手段により、前記第二収集手段で収集する前記第一状況情報若しくは前記第二状況情報を指定することができる。
【００３０】
また、請求項９記載の状況収集端末によれば、請求項３から請求項８のいずれかに記載の状況収集端末が奏する効果に加え、前記表示制御部が前記第二算出手段により算出された前記第二状況情報に基づいて前記表示部の表示を制御するので、前記状況収集端末の使用者は、前記第一収集手段により収集された前記第一状況情報を送信した前記第一状況通信端末の前記使用者全体若しくは前記周辺環境全体の状況を反映した情報を視覚を通じて知ることができる。
【００３１】
また、請求項１０記載の状況収集端末によれば、請求項５から請求項８のいずれかに記載の状況収集端末が奏する効果に加え、前記表示制御部が前記第二収集手段により収集した前記第一状況情報若しくは前記第二状況情報に基づいて前記表示部の表示を制御するので、前記状況収集端末の使用者は、前記第二状況通信端末の使用者若しくは周辺環境の状況を反映した情報、又は、前記他の状況収集端末と通信する前記状況通信端末の前記使用者全体若しくは前記周辺環境全体の状況を反映した情報視覚を通じて知ることができる。
【００３２】
また、請求項１１記載の状況収集端末によれば、請求項６から請求項８のいずれかに記載の状況収集端末が奏する効果に加え、前記表示制御部が前記第三算出手段により算出された前記第三状況情報に基づいて前記表示部の表示を制御するので、前記状況収集端末の使用者は、前記第一収集手段で収集された前記第一状況情報を送信した前記第一状況通信端末の前記使用者若しくは前記周辺環境の状況の情報と、前記第二状況通信端末の前記使用者若しくは前記周辺環境、又は、他の状況収集端末と通信する全前記状況通信端末の前記使用者若しくは前記周辺環境の状況の情報とを反映した状況の情報を視覚を通じて知ることができる。
【００３３】
また、請求項１２記載の状況収集端末によれば、請求項５から請求項８のいずれかに記載の状況収集端末が奏する効果に加え、前記表示制御部が前記第二算出手段により算出された前記第二状況情報に基づいて前記第一表示領域の表示を制御し、前記第二収集手段により収集した前記第一状況情報若しくは前記第二状況情報に基づいて前記第二表示領域の表示を制御するので、前記状況収集端末の使用者は、前記第一収集手段により収集された前記第一状況情報を送信した前記第一状況通信端末の前記使用者全体若しくは前記周辺環境全体の状況を反映した情報と前記第二状況通信端末の使用者若しくは周辺環境の状況の情報、又は、前記他の状況収集端末と通信する前記状況通信端末の前記使用者全体若しくは前記周辺環境全体の状況を反映した情報とを視覚を通じて知ることができる。
【００３４】
また、請求項１３記載の状況収集プログラムによれば、前記第一収集手段が前記第一状況通信端末から第一状況情報を収集し、前記第二算出手段が前記第二状況情報を算出し、前記第二送信手段が前記サーバへ前記第二状況情報を送信することができる。このため前記サーバには前記第二状況情報が蓄積されるため、前記サーバとネットワークを介して通信可能な端末を用いれば、その端末の使用者は、前記第一収集手段により収集された前記第一状況情報を所定の条件で集約した第二状況情報を取得できる。
【発明を実施するための最良の形態】
【００３５】
以下、本発明の実施の形態について図面を参照して説明する。本発明の第一実施形態について説明する。図１は本発明の実施形態における状況通信システムのシステム全体を示す概略図である。
【００３６】
図１において、２つの状況収集端末１００（状況収集端末１００Ａ、状況収集端末１００Ｂ）及び第二状況通信端末２はインターネット４を介してサーバ３と接続される。また、各状況収集端末１００の近隣には複数の第一状況通信端末１が配置されている。各状況収集端末１００はインターネット４を介してサーバ３と通信を行なうだけでなく、各状況収集端末１００の近隣に配置された複数の第一状況通信端末１と無線通信を行なう。第一状況通信端末１と通信が行なえる範囲には制限があり、状況収集端末１００は無線通信可能な範囲に存在する状通信端末１とのみ通信を行なう。
【００３７】
尚、図１では２個の状況収集端末１００と１個の第二状況通信端末２と４個の第一状況通信端末１が存在するが、実際の数はこれに限るものではないことは言うまでもない。
【００３８】
この状況通信システムの概要について説明する。状況収集端末１００と通信が行なえる範囲内に配置された各第一状況通信端末１の使用者同士で、一つのコミュニティを形成している。
【００３９】
たとえば、図１に示したように、状況収集端末１００Ａと通信可能な範囲に配置された第一状況通信端末１Ａ１の使用者Ａ１と、第一状況通信端末１Ａ２の使用者Ａ２とでコミュニティＡが形成される。また、状況収集端末１００Ｂと通信可能な範囲に配置された第一状況通信端末１Ｂ１の使用者Ｂ１と、第一状況通信端末１Ｂ２の使用者Ｂ２とでコミュニティＢが形成される。また、第二状況通信端末２の使用者Ｃも存在する。
【００４０】
尚、以下、状況収集端末１００の近隣に存在する全ての第一状況通信端末１の使用者を状況収集端末１００の使用者と称す。例えば、状況収集端末１００Ａの使用者は使用者Ａ１及び使用者Ａ２である。
【００４１】
これらの端末にはそれぞれ通し番号でＩＤ番号が付されている。第一状況通信端末１Ａ１には１、第一状況通信端末１Ａ２には２、状況収集端末１Ａには３、第一状況通信端末１Ｂ１には４、第一状況通信端末１Ｂ２には５、状況収集端末１Ｂには６、第二状況通信端末には７がＩＤ番号として付されている。
【００４２】
後述するように、第一状況通信端末１及び第二状況通信端末２には、これら端末の各使用者の生体の情報を計測するセンサが設けられている。各端末は、このセンサの計測値に基づいてその使用者の状況（例えば、興奮している状態、落ち込んでいる状態、眠たい状態）を推論し、その状況に対応する値を算出する。以下、この第一状況通信端末１及び第二状況通信端末で算出される使用者の状況を示す値を第一状況情報と称す。
【００４３】
状況収集端末１００は、近隣に存在する第一状況端末１から上述の第一状況情報を収集する。そして収集した第一状況情報に基づいて、近隣に存在する第一状況端末の使用者全体の状況に対応する値を算出する。以下、この値を第二状況情報と称す。
【００４４】
例えば、状況収集端末１００Ａによれば、第一状況通信端末１Ａ１と第一状況通信端末１Ａ２とから第一状況情報を収集し、その第一状況情報に基づいて、使用者Ａ１と使用者Ａ２との全体としての第二状況情報を算出する。
【００４５】
状況収集端末１００には任意の画像を表示するための表示部１０７（後述する）が設けられており、状況収集端末１００は算出した第二状況情報の値に応じて、表示部１０７の色を変化させる。従って、状況収集端末１００によれば、状況収集端末１００の使用者全体の状況を視覚を通じて知ることができる。
【００４６】
また、状況収集端末１００及び第二状況通信端末２は、状況を知りたい他の端末（第一状況通信端末１、第二状況通信端末２、状況収集端末１００のいずれか）の使用者を指定することができる。
【００４７】
詳細は後述するが、状況収集端末１００及び第二状況通信端末２には、指定したい相手の端末が記憶されたＩＤカード１１６が差し込まれる差込口が設けられている。そして、後述するように状況収集端末１００は、サーバ３からＩＤカード１１６で指定される端末の使用者の状況を示す値を取得できるので、状況収集端末１００は、ＩＤカード１１６により指定される端末の使用者の状況を表示することができる。
【００４８】
また、状況収集端末１００は、ＩＤカード１１６により指定される端末の使用者と、自己の使用者との全体の使用者の状況を示す値である第三状況情報を、ＩＤカード１１６により指定される端末の使用者の状況を示す値と自己の使用者の状況を示す第二状況情報の値とに基づいて算出することもできる。さらに、第三状況情報に対応した色を表示部１０７に表示することもできる。
【００４９】
従って、状況収集端末１００の使用者は、他の端末の使用者の状況（例えば、興奮している状態、落ち込んでいる状態、眠たい状態）を視覚を通じて知ることができる。このため、各使用者間のコミュニケーション若しくは各コミュニティ間のコミュニケーションが円滑に行なえる。
【００５０】
以下に詳細を説明する。
【００５１】
先ず、第一状況通信端末１について説明する。図２は状況通信端末１を前方から見た概略図である。図３は状況通信端末１の電気的構成を示すブロック図である。
【００５２】
図２に示すように状況通信端末１は略球体であり、使用者が片手又は両手に把持できる程度のサイズである。状況通信端末１の筐体は、数ｍｍの厚み（例えば、５ｍｍ厚）の透明性を有する合成樹脂で球状に構成されており、その内部には球状の密閉空間が形成されている。
【００５３】
第一状況通信端末１には、その第一状況通信端末１を使用している人の生体の情報（心拍数、体温、発汗量）を計測する複数のセンサ（心拍センサ１６、体温センサ１７、発汗センサ１８）が設けられている。心拍センサ１６、体温センサ１７、発汗センサ１８は、第一状況通信端末１の表面に配置されている。このため、使用者が第一状況通信端末１を把持すると、各センサに使用者の指若しくは手のひらが接触し、使用者の心拍数、体温、発汗量が適切に計測される。後述するが、第一状況通信端末１は、これらのセンサの計測値に基づいてその第一通信端末１の使用者個人の状況（興奮している、落ち込んでいる、眠い）を推論する。
【００５４】
第一状況通信端末１の筐体内部には、状況通信端末１の筐体の下端部における設置面と平行であって、当該筐体の中心部を通る平面に配置された円形板状の基板が設けられており、その基板に、各種センサ１６〜１８、ＬＥＤ１９、ＣＰＵ１１、ＲＯＭ１２、ＲＡＭ１３等（図３参照）が接続されている。
【００５５】
第一状況通信端末１は、任意の方向（上側、下側など）に複数の色の光を発光できるＬＥＤ１９が設けられている。このため、使用者の各状況を発光色で表現することができる。興奮状態を表現する場合は赤色の光が発光し、落ち込んでいる状態を表現する場合は青色の光が発光し、眠たい状態を表現する場合は緑色の光が発光する。従って、第一状況通信端末１の使用者は自分若しくは他人が今どんな状況であるかを視覚を通じて知ることかできる。
【００５６】
図３に示すように、状況通信端末１の筐体内部には、状況通信端末１の制御を司るＣＰＵ１１がもうけられている。ＣＰＵ１１にはバス２２を介して、制御プログラム等を記憶したＲＯＭ１２、各種のデータを一時的に記憶するＲＡＭ１３、各種のデータを記憶するＨＤ２３、時間を計測する計時装置１４、他の状況通信端末１若しくは状況収集端末１００と情報の送受信を行なうための送受信部１５、各種モジュールを接続するためのＩ／Ｏインタフェース２１が接続されている。そして図示しないが、状況通信端末１はバッテリーにより電源供給されている。
【００５７】
また、状況通信端末１は各種センサ１６〜１８が接続されるＡＤ変換器２０を具備している。ＡＤ変換器２０はＩ／Ｏインタフェース２１及びバス２２を介してＣＰＵ１１に接続しており、各種センサ１６〜１８から入力されるアナログデータの計測値が、ＡＤ変換機２０によりデジタルデータに変換されてＣＰＵ１１に入力される。
【００５８】
また、ＬＥＤ１９はＩ／Ｏインタフェース２１及びバス２２を介してＣＰＵ１１に接続しており、ＣＰＵから出力される指示信号がＩ／Ｏインタフェース２１及びバス２２を介してＬＥＤ１９に入力される。
【００５９】
ＲＡＭ１３の記憶領域の構成について説明する。図４はＲＡＭ１３の記憶領域の構成を示す模式図である。
【００６０】
ＲＡＭ１３は第一バッファ１３１、第二バッファ１３２、使用者更新フラグ記憶領域１３３、送信データ記憶領域１３４、受信データ記憶領域１３５、作業領域１３７を備えている。
【００６１】
第一バッファ１３１及び第二バッファ１３２は、各種センサ１６〜１８で計測した計測値を一時記憶する領域である。使用者更新フラグ記憶領域１３３は後述する使用者更新フラグの状態を記憶する領域である。送信データ記憶領域１３４は後述する推論処理で推論された第一状況情報を記憶する領域である。受信データ記憶領域１３５は状況収集端末１００から受信した情報を記憶する領域である。作業領域１３７はＣＰＵ１１が各種処理を実行する際に使用される領域である。
【００６２】
ＨＤ２３の記憶領域の構成について説明する。図５はＨＤ２３の記憶領域の構成を示す模式図である。
【００６３】
図５に示すように、ＨＤ２３は、平均値記憶領域２３１、推論テーブル２３２を備えている。平均値記憶領域２３１は、使用者の体温、心拍数、発汗量の平均値を記憶する領域である。これらの使用者の体温等の平均値は外部のデータベースから取得するものであっても良いし、第一状況情報端末１が繰り返し使用される毎に計測される計測値に基づいて、逐次更新されるものであってもよい。
【００６４】
推論テーブル２３２は、後述する推論処理で、各種センサ１６〜１８で計測した計測値に基づいて、第一状況情報を算出する際に使用されるテーブルである。
【００６５】
図６に推論テーブル２３２を示す。推論テーブル２３２には、後述する推論処理で求められる変数である「ＴＥＭＰ」、「ＨＲ」、「ＳＷＥＡＴ」の値がどのような時に使用者がどのような状況となるかが記憶されている。
【００６６】
尚、後述する推論処理で求められる「ＴＥＭＰ」は、体温センサ１７からの計測値と平均値記憶領域２３１に記憶されている体温の平均値とに基づき設定される変数である。
【００６７】
また、後述する推論処理で求められる「ＨＲ」は、心拍センサ１６からの計測値と平均値記憶領域２３１に記憶されている心拍数の平均値に基づき設定される変数である。
【００６８】
また、後述する推論処理で求められる「ＳＷＥＡＴ」は、発汗センサ１８からの計測値と平均値記憶領域２３１に記憶されている発汗量の平均値に基づき設定される変数である。
【００６９】
本実施形態では、推論される使用者の状況として「興奮」、「落ち込み」、「眠い」、「通常」の４つの状況を扱うものとする。図６に示す推論テーブル２３２には、「興奮」、「落ち込み」、「眠い」の３つの状況に対応する変数「ＴＥＭＰ」、「ＨＲ」、「ＳＷＥＡＴ」の値が、それぞれ対応付けられている。
【００７０】
図６に示す推論テーブル２３２では、ＨＲが４〜５、ＴＥＭＰが２〜４、かつ、ＳＷＥＡＴが４〜５の場合に、「興奮」が対応付けられている。また、ＨＲが２、ＴＥＭＰが２、かつ、ＳＷＥＡＴが２の場合に、「落込み」が対応付けられている。また、ＨＲが２、ＴＥＭＰが３、かつ、ＳＷＥＡＴが１の場合に、「眠い」が対応付けられている。尚、後述する推論処理にて、３つの変数の組み合わせが上述のいずれにも該当しない場合は「通常」とされる。このため「通常」については推論テーブル２３２については記述されていない。
【００７１】
そして、それぞれの状況を示す情報である第一状況情報として、「興奮」は「１」、「落込み」は「２」、「眠い」は「３」の３つの値が対応付けられている。「通常」は「０」の値が対応付けられている。
【００７２】
状況通信端末１の動作について説明する。図７は状況通信端末１のＣＰＵ１１が行なうメイン処理のフローチャートである。
【００７３】
状況通信端末１の電源がオンされると、メイン処理が開始される。メイン処理を開始すると、先ず、ＲＡＭ１３の各領域の初期化を行う（ステップ１１、以下ステップをＳと称す）。
【００７４】
次に、各種センサ１６〜１８を起動する（Ｓ１２）。計測値のサンプリング間隔をそれぞれ５秒として起動する。例えば、心拍センサ１５が使用者の心拍数を計測した１秒後、体温センサ１６が使用者の体温を計測する。体温センサ１６が使用者の体温を計測した１秒後、発汗センサ１７が使用者の発汗量を計測する。発汗センサ１７が使用者の発汗量を計測した３秒後、再び心拍センサ１５が使用者の心拍数を計測する。このようにして、各種センサ１６〜１８は順番に繰り返し計測値を計測する。各種センサ１６〜１８は計測値を計測すると、ＣＰＵ１１に計測値のデータを送信する。
【００７５】
次に、計測処理を起動する（Ｓ１３）。メイン処理のＳ１３で計測処理を起動すると、ＣＰＵ１１はメイン処理とは別に計測処理を開始する。計測処理については後述する。
【００７６】
計測処理を起動後、使用者更新フラグに１がセットされているか否かを判断する（Ｓ１４）。使用者更新フラグに１がセットされていない場合（Ｓ１４：ｎｏ）、使用者更新フラグに１がセットされるまで待機する。
【００７７】
使用者更新フラグに１がセットされている場合（Ｓ１４：ｙｅｓ）、推論処理を実行する（Ｓ１５）。推論処理において、第二バッファ１３６に記憶されている各種センサ１６〜１８からの計測値に基づいて、使用者の状況を推論し、その状況を示す情報である第一状況情報を送信データ記憶領域１３４に記憶する。推論処理の詳細については後述する（図９参照）。
【００７８】
推論処理において、第一状況情報を送信データ記憶領域１３４に記憶した後、送信データ記憶領域１３４に記憶した第一状況情報を送信する（Ｓ１６）。Ｓ１６で送信されたデータは、第一状況情報を送信した第一状況通信端末１と無線通信可能な範囲に存在する端末（本実施形態の第一状況通信端末１Ａ１が送信する場合、第一状況通信端末１Ａ２と状況収集端末１Ａとが該当する）が、受信する。尚、後述するが、第一状況情報を受信した状況収集端末１００は、第二状況通信端末２で推論された第一状況情報若しくは他の状況収集端末１００で推論された第二状況情報若しくは状況収集端末１００で算出された第三状況情報を、第一状況通信端末１に送信する。
【００７９】
従って、Ｓ１６で第一状況情報を送信した後、状況収集端末１００から、第二状況通信端末２で推論された第一状況情報若しくは第二状況情報若しくは第三状況情報を受信し、受信したデータを受信データ記憶領域１３５に記憶する（Ｓ１７）。
【００８０】
次に、ＬＥＤ１９により、送信データ記憶領域１３４に記憶された第一状況情報及び受信データ記憶領域１３５に記憶された情報に対応した色を発光させる（Ｓ１８）。
【００８１】
上述したように、方向を指定して点灯できるため、送信データ記憶領域１３４に記憶された第一状況情報に対応した色については状況通信端末１下部に表示する。受信データ記憶領域１３５に記憶された情報に対応した色については上部に表示する。
【００８２】
送信データ記憶領域１３４若しくは受信データ記憶領域１３５に記憶された情報の値が「１」即ち状況が「興奮」であれば、ＬＥＤ１９を赤色で点灯する。送信データ記憶領域１３４若しくは受信データ記憶領域１３５に記憶された情報の値が「２」即ち状況が「落ち込み」であれば、ＬＥＤ１９を青色で点灯する。送信データ記憶領域１３４若しくは受信データ記憶領域１３５に記憶された情報の値が「３」即ち状況が「眠い」であれば、ＬＥＤ２１を緑色で点灯する。送信データ記憶領域１３４若しくは受信データ記憶領域１３５に記憶された情報の値が「０」即ち状況が「通常」であれば、ＬＥＤ１９は、点灯させない。
【００８３】
従って、第一状況通信端末１の使用者は自分若しくは他人が今どんな状況であるかを視覚を通じて知ることかできる。
【００８４】
このようにＳ１８でＬＥＤ１９を発光させた後、図示しない電源ボタンが操作され、電源がオフされるか否かを判断する（Ｓ１９）。
【００８５】
電源がオフされないと判断した場合は（Ｓ１９：ｎｏ）、Ｓ１４に戻り、Ｓ１４〜Ｓ１９までの処理を繰り返す。
【００８６】
電源がオフされると判断した場合は（Ｓ１９：ｙｅｓ）、全ての処理を終了し電源をオフする（Ｓ２０）。
【００８７】
ここで、計測処理について説明する。メイン処理のＳ１３で計測処理を起動すると、ＣＰＵ１１はメイン処理とは別に計測処理を開始する。図８は計測処理のフローチャートである。
【００８８】
計測処理を開始すると、先ず、第一バッファ１３１をクリアする（Ｓ１３１）。次に、各種センサ１６〜１８のいずれかから、計測値を受信するか否かを判断する（Ｓ１３２）。計測値を受信しない場合は（Ｓ１３２：ｎｏ）、計測値を受信するまで待機する。
【００８９】
計測値を受信したと判断した場合は（Ｓ１３２：ｙｅｓ）、受信した計測値を第一バッファに記憶する（Ｓ１３３）。
【００９０】
次に、各種センサ１６〜１８の全てのセンサから計測値を取得したか否かを判断する（Ｓ１３４）。全てのセンサから計測値を取得していない場合は（Ｓ１３４：ｎｏ）、Ｓ１３２へ戻る。
【００９１】
全てのセンサから計測値を取得している場合は（Ｓ１３４：ｙｅｓ）、第一バッファ１３１と第二バッファ１３２とが一致するか否かを判断する（Ｓ１３５）。
【００９２】
第一バッファ１３１と第二バッファ１３２とが一致している場合は（Ｓ１３５：ｙｅｓ）、Ｓ１３１へ戻る。
【００９３】
第一バッファ１３１と第二バッファ１３２とが一致していない場合は（Ｓ１３５：ｎｏ）、第一バッファ１３１を第二バッファ１３２にコピーし、使用者更新フラグに１をセットする（Ｓ１３６）。その後、Ｓ１３１に戻り、Ｓ１３１からＳ１３６までの処理を繰り返す。
【００９４】
次にメイン処理の中で行なわれる推論処理（図７、Ｓ１５）について説明する。図９は推論処理のフローチャートである。
【００９５】
メイン処理のＳ１４にて使用者更新フラグに１がセットされていると判断した場合（Ｓ１４：ｙｅｓ）、推論処理（Ｓ１５）が開始される。推論処理を開始すると先ず、送信データ記憶領域１３４を初期化する（Ｓ１５１）。ここでいう初期化とはＲＡＭ１３の送信データ記憶領域１３４に記憶されているデータを全て消去することである。
【００９６】
その後、使用者更新フラグ記憶領域１３３に記憶されている使用者更新フラグを０に戻す（Ｓ１５２）。その後、心拍分類処理によって上述した変数ＨＲを設定する（Ｓ１５３）。
【００９７】
ここで、心拍分類処理（Ｓ１５３）について説明する。図１０は心拍分類処理のフローチャートである。推論処理のＳ１５２において、使用者更新フラグを０に戻した後、Ｓ１５３の心拍分類処理が開始される。
【００９８】
心拍分類処理が開始されると、第二バッファ領域１３２に記憶されている心拍数の計測値（心拍センサ１６の計測値）から平均値記憶領域２３１に記憶されている心拍数の平均値が引かれ、心拍数の差Ｘが算出される（Ｓ２３０１）。
【００９９】
そして、心拍数の差Ｘが−１０以下であるか否かを判断する（Ｓ２３０２）。ここで、−１０という値は任意に設定された値である。心拍数の差Ｘが−１０以下である場合には（Ｓ２３０２：ＹＥＳ）、変数ＨＲに１が設定され（Ｓ２３０６）、心拍分類処理を終了して推論処理に戻る。心拍数の差Ｘが−１０以下でない場合は（Ｓ２３０２：ＮＯ）、心拍数の差Ｘが−５以下であるか否かを判断する（Ｓ２３０３）。
【０１００】
そして、心拍数の差Ｘが−５以下である場合には（Ｓ２３０３：ＹＥＳ）、変数ＨＲに２が設定され（Ｓ２３０７）、心拍分類処理を終了して推論処理に戻る。心拍数の差Ｘが−５以下でない場合は（Ｓ２３０３：ＮＯ）、心拍数の差Ｘが５以下であるか否かを判断する（Ｓ２３０４）。
【０１０１】
そして、心拍数の差Ｘが５以下である場合には（Ｓ２３０４：ＹＥＳ）、変数ＨＲに３が設定され（Ｓ２３０８）、心拍分類処理を終了して推論処理に戻る。心拍数の差Ｘが５以下でない場合は（Ｓ２３０４：ＮＯ）、心拍数の差Ｘが１５以下であるか否かを判断する（Ｓ２３０５）。
【０１０２】
そして、心拍数の差Ｘが１５以下である場合には（Ｓ２３０５：ＹＥＳ）、変数ＨＲに４が設定され（Ｓ２３０９）、心拍分類処理を終了して推論処理に戻る。心拍数の差Ｘが１５以下でない場合は（Ｓ２３０４：ＮＯ）、変数ＨＲに５が設定され（Ｓ２３１０）、心拍分類処理を終了して推論処理に戻る。
【０１０３】
ＣＰＵ１１が心拍分類処理によって変数ＨＲを設定したあと、次に体温分類処理によって上述した変数ＴＥＭＰを設定する（Ｓ１５４）。
【０１０４】
ここで体温分類処理（Ｓ１５４）について説明する。図１１は体温分類処理のフローチャートである。推論処理のＳ１５３である心拍分類処理が終了すると、Ｓ１５４の体温分類処理が開始される。
【０１０５】
体温分類処理が開始されると、第二バッファ領域１３２に記憶されている体温の計測値（体温センサ１７の計測値）から平均値記憶領域２３１に記憶されている体温の平均値が引かれ、体温の差Ｙが算出される（Ｓ２４０１）。
【０１０６】
そして、体温の差Ｙが−１以下であるか否かを判断する（Ｓ２４０２）。体温の差Ｙが−１以下である場合には（Ｓ２４０２：ＹＥＳ）、変数ＴＥＭＰに１が設定され（Ｓ２４０６）、体温分類処理を終了して推論処理に戻る。体温の差Ｙが−１以下でない場合は（Ｓ２４０２：ＮＯ）、体温の差Ｙが−０．５以下であるか否かを判断する（Ｓ２４０３）。
【０１０７】
そして、体温の差Ｙが−０．５以下である場合には（Ｓ２４０３：ＹＥＳ）、変数ＴＥＭＰに２が設定され（Ｓ２４０７）、体温分類処理を終了して推論処理に戻る。体温の差Ｙが−０．５以下でない場合は（Ｓ２４０３：ＮＯ）、体温の差Ｙが０．５以下であるか否かを判断する（Ｓ２４０４）。
【０１０８】
そして、体温の差Ｙが０．５以下である場合には（Ｓ２４０４：ＹＥＳ）、変数ＴＥＭＰに３が設定され（Ｓ２４０８）、体温分類処理を終了して推論処理に戻る。体温の差Ｙが０．５以下でない場合は（Ｓ２４０４：ＮＯ）、体温の差Ｙが１以下であるか否かを判断する（Ｓ２４０５）。
【０１０９】
そして、体温の差Ｙが１以下である場合には（Ｓ２４０５：ＹＥＳ）、変数ＴＥＭＰに４が設定され（Ｓ２４０９）、体温分類処理を終了して推論処理に戻る。体温の差Ｙが１以下でない場合は（Ｓ２４０４：ＮＯ）、変数ＴＥＭＰに５が設定され（Ｓ２４１０）、体温分類処理を終了して推論処理に戻る。
【０１１０】
ＣＰＵ２１が体温分類処理によって変数ＴＥＭＰを設定したあと、次に発汗量分類処理によって上述した変数ＳＷＥＡＴを設定する（Ｓ１５５）。
【０１１１】
ここで発汗量分類処理（Ｓ１５５）について説明する。図１２は発汗量分類処理のフローチャートである。推論処理のＳ１５４である心拍分類処理が終了すると、Ｓ１５５の発汗量分類処理が開始される。
【０１１２】
発汗量分類処理が開始されると、第二バッファ領域１３２に記憶されている発汗量の計測値（発汗センサ１５の計測値）から平均値記憶領域２３１に記憶されている発汗量の平均値が引かれ、発汗量の差Ｚが算出される（Ｓ２５０１）。
【０１１３】
そして、発汗量の差Ｚが３以下であるか否かを判断する（Ｓ２５０２）。発汗量の差Ｚが３以下である場合には（Ｓ２５０２：ＹＥＳ）、変数ＳＷＥＡＴに１が設定され（Ｓ２５０６）、発汗量分類処理を終了して推論処理に戻る。発汗量の差Ｚが３以下でない場合は（Ｓ２５０２：ＮＯ）、発汗量の差Ｙが６以下であるか否かを判断する（Ｓ２５０３）。
【０１１４】
そして、発汗量の差Ｚが６以下である場合には（Ｓ２５０３：ＹＥＳ）、変数ＳＷＥＡＴに２が設定され（Ｓ２５０７）、発汗量分類処理を終了して推論処理に戻る。発汗量の差Ｚが６以下でない場合は（Ｓ２５０３：ＮＯ）、発汗量の差Ｚが１０以下であるか否かを判断する（Ｓ２５０４）。
【０１１５】
そして、発汗量の差Ｚが１０以下である場合には（Ｓ２５０４：ＹＥＳ）、変数ＳＷＥＡＴに３が設定され（Ｓ２５０８）、発汗量分類処理を終了して推論処理に戻る。発汗量の差Ｚが１０以下でない場合は（Ｓ２５０４：ＮＯ）、発汗量の差Ｚが１５以下であるか否かを判断する（Ｓ２５０５）。
【０１１６】
そして、発汗量の差Ｚが１５以下である場合には（Ｓ２５０５：ＹＥＳ）、変数ＳＷＥＡＴに４が設定され（Ｓ２５０９）、発汗量分類処理を終了して推論処理に戻る。発汗量の差Ｚが１５以下でない場合は（Ｓ２５０４：ＮＯ）、変数ＳＷＥＡＴに５が設定され（Ｓ２５１０）、発汗量分類処理を終了して推論処理に戻る。
【０１１７】
発汗量分類処理後、Ｓ１５３〜Ｓ１５５において設定された３つの変数ＨＲ、ＴＥＭＰ、ＳＷＥＡＴと、ハードディスク２３に記憶されている推論テーブル２３２とに基づいて、第一状況情報の値を算出する（Ｓ１５６）。
【０１１８】
ここで、第一状況情報の値が１となるのは、ＨＲが４〜５、ＴＥＭＰが２〜４、かつ、ＳＷＥＡＴが４〜５の場合である。第一状況情報の値が２となるのは、ＨＲが２、ＴＥＭＰが２、かつ、ＳＷＥＡＴが２の場合である。第一状況情報の値が３となるのは、ＨＲが２、ＴＥＭＰが３、かつ、ＳＷＥＡＴが１の場合である。尚、３つの変数の組み合わせが上述のいずれにも該当しない場合は第一状況情報の値が０とされる。
【０１１９】
そして、このように算出した第一状況情報の値を、送信データ記憶領域１３４に記憶して（Ｓ１５７）メイン処理にもどる。
【０１２０】
次に状況収集端末１００について説明する。図１３は状況収集端末１００の斜視図である。図１３に示すように、状況収集端末１００の筐体は立方体をしており、正面には矩形の表示部１０７とメンブレンスイッチ１１３とが形成されている。表示部１０７とメンブレンスイッチ１１３とは同一面内において、所定の間隔を隔てて上下に並べられている。
【０１２１】
また、状況収集端末１００の側面には、ＩＤカード１１６が差し込まれる差込口１１５が形成されている。ＩＤカード１１６が差し込まれると、図１３には図示しないＩＤ用赤外線センサ１１２がＩＤカード１１６に記憶されているＩＤを読取る。
【０１２２】
図１４は状況収集端末１００の電気的構成を示すブロック図である。図１４に示すように状況収集端末１００には状況収集端末１００の制御を司るＣＰＵ１０１が内蔵されている。ＣＰＵ１０１にはＲＯＭ１０２、ＲＡＭ１０３、計時装置１０５、表示制御部１０６、インターネット通信部１０８、送受信部１０９、インターフェース１１０がバス１１４を介して接続している。
【０１２３】
ＲＯＭ１０２はＣＰＵ１０１が実行する状況収集端末１００の制御プログラムを記憶している。ＲＡＭ１０３は後述の各種処理で使用される情報を一時的に記憶する。計時装置１０５は時間を計測する。インターネット通信部１０８はＣＰＵ１０１の指示に基づいてインターネット４と通信を行なう。送受信部１０９はＣＰＵ１０１の指示に基づいて、近隣に配置された無線通信が可能な範囲の第一状況通信端末１と通信を行なう。
【０１２４】
表示制御部１０６は表示部１０７と接続され、ＣＰＵ１０１の指示に基づいて表示部１０７の表示を制御する。インターフェース１１０は、ＡＤ変換機１１１を介してＩＤ用赤外センサ１１２及びメンブレンスイッチ１１３と接続している。ＩＤ用赤外線センサ１１２及びメンブレンスイッチ１１３からの入力信号はＡＤ変換器１１１にて、アナログ信号からデジタル信号に変換され、インターフェース１１０を介してＣＰＵ１０１に伝えられる。
【０１２５】
ＲＡＭ１０３の記憶領域の構成について説明する。図１５はＲＡＭ１０３の構成を示す模式図である。図１５に示すように、ＲＡＭ１０３は収集データ記憶領域３０１、第二状況情報記憶領域３０２、全端末データ記憶領域３０３、第三状況情報記憶領域３０４、指定ＩＤ領域３０５、作業領域３０７を備える。
【０１２６】
収集データ記憶領域３０１は、近隣に存在する第一状況通信端末１から送られてくる第一状況情報を記憶する領域である。第二状況情報記憶領域３０２は収集データ記憶領域３０１に収集した第一状況情報に基づいて算出された第二状況情報を記憶する領域である。
【０１２７】
図１６に全端末データ記憶領域３０３の模式図を示す。全端末データ記憶領域３０３はサーバ３に記憶されている全端末の使用者の状況を示す値を記憶する領域である。第三状況情報記憶領域３０４は第三状況情報を記憶する領域である。指定ＩＤ領域３０５はＩＤ用赤外線センサ１１２から取得したＩＤを記憶する領域である。作業領域３０７はＣＰＵ１０１が各種処理を実行する際に使用される領域である。
【０１２８】
全端末データ記憶領域３０３には端末ごとのＩＤと使用者の状況を示す値が対応して記憶される。
【０１２９】
状況収集端末１００の動作について説明する。図１７は状況収集端末１００のＣＰＵ１０１が行なうメイン処理のフローチャートである。
【０１３０】
図示しない状況収集端末１００の電源ボタンが操作され、状況収集端末１００の電源がオンされると、ＣＰＵ１０１はメイン処理を実行する。
【０１３１】
先ず、ＲＡＭ１０３の各記憶領域を初期化する（Ｓ７１）。次に収集処理を実行する（Ｓ７２）。
【０１３２】
ここで収集処理について説明する。図１８は収集処理のフローチャートである。図１８に示すように、ＣＰＵ１０１は収集処理を開始すると先ず、初期化を行なう（Ｓ２７１）。
【０１３３】
次に計時装置を起動して時間の計測を開始する（Ｓ２７２）。そして時間の計測を開始してから２秒経過したか否かを判断する（Ｓ２７３）。
【０１３４】
２秒経過していない場合は（Ｓ２７３：ｎｏ）、第一状況通信装置１から第一状況情報を受信したか否かの判断が行なわれる（Ｓ２７４）。第一状況情報を受信していない場合は（Ｓ２７４：ｎｏ）、Ｓ２７３へ戻る。
【０１３５】
第一状況情報を受信している場合は（Ｓ２７４：ｙｅｓ）、受信した第一状況通信端末１のＩＤ番号及び、受信した第一状況情報を収集データ記憶領域３０１に記憶して（Ｓ２７５）、Ｓ２７３に戻る。
【０１３６】
Ｓ２７３〜Ｓ２７５の処理が繰り返し行われ、２秒経過したら（Ｓ２７３：ｙｅｓ）、第二状況情報を算出する（Ｓ２７６）。
【０１３７】
第二状況情報の算出は次のように行なわれる。収集データ記憶領域３０１に記憶されているすべての第一状況情報の値を総和して、第一状況情報を収集した第一状況通信装置の数で割って平均値を四捨五入し、その値を第二状況情報の値として算出する。尚、このとき第一状況情報の値が０のものは加算しないで計算する。
【０１３８】
その後、算出した第二状況情報を第二状況情報記憶領域３０２に記憶し（Ｓ２７７）、メイン処理へ戻る。
【０１３９】
収集処理を終了すると（図１７参照）、ＣＰＵ１０１はインターネット通信処理を実行する（Ｓ７３）。
【０１４０】
インターネット通信処理について説明する。図１９はインターネット通信処理のフローチャートである。インターネット通信処理を開始すると、初期化を行なう（Ｓ３７１）。
【０１４１】
そして、ソケット接続を行なう（Ｓ３７２）。ソケット接続とは、ＴＣＰ／ＩＰ通信において、ソケット（ＩＰアドレスとポート番号を組み合わせたネットワークアドレス）を指定して接続することである。そして、収集データ記憶領域３０１に記憶されている情報（収集処理で収集した第一状況通信端末１のＩＤ番号及び第一状況情報）と、状況収集端末１００自身のＩＤ番号と第二状況情報記憶領域３０２に記憶されている第二状況情報とを、インターネット４を介してサーバ３へ送信する（Ｓ３７３）。
【０１４２】
ここで、サーバ３には、全ての第一状況通信端末１のＩＤ番号とその使用者の状況を示す値、及び、全ての状況収集端末１００のＩＤ番号とその状況収集端末１００の使用者全体の状況を示す値、及び、全ての第二状況通信端末２のＩＤ番号とその使用者の状況を示す値の全端末分のデータが記憶されている。
【０１４３】
サーバ３は状況収集端末１００から、上述のＳ３７３で送信されたデータを受信すると、記憶している全端末分のデータを書き換える。その後、サーバ３はデータを送信した状況収集端末１００に書き換えた全端末文のデータを送信する。
【０１４４】
ＣＰＵ１０１は、このようにしてサーバ３から送信された全端末分のデータを受信すると（Ｓ３７４）、受信した全端末分のデータを全端末データ記憶領域３０４に記憶する（Ｓ３７５）。このとき、前に記憶された全端末分のデータが全端末データ記憶領域３０４に存在する場合は、受信した全端末分のデータを上書きする。その後、ソケットを切断し（Ｓ３７６）、メイン処理に戻る。
【０１４５】
インターネット通信処理を終了すると（図１７参照）、ＣＰＵ１０１は表示部制御処理を実行する（Ｓ７４）。
【０１４６】
表示部制御処理について説明する。図２０は表示部制御処理のフローチャートである。表示部制御処理を開始すると、初期化を行う（Ｓ５０１）。そしてＩＤ用赤外線センサ１１２に入力があるか否かを判断する（Ｓ５０２）。
【０１４７】
ＩＤ用赤外線センサ１１２に入力がない場合（Ｓ５０２：ｎｏ）、全端末データ記憶領域３０３に記憶されている、自身のＩＤ番号に対応する状況の値（即ち第二状況情報）を参照し、その値に対応する色を表示部１０７に表示させる（Ｓ５０３）。
【０１４８】
例えば、第二状況情報が１、即ち同一コミュニティ内の使用者全体の状況が「興奮」である場合は、表示部１０７に赤色を表示する。第二状況情報が２、即ち使用者の状況が「落ち込み」である場合は、青色を表示する。第二状況情報が３、即ち使用者の状況が「眠たい」である場合は、緑色を表示する。そして、第二状況情報が０、即ち使用者の状況が「通常」である場合は、何色も表示させない。これにより、状況収集端末１００の使用者は、自分が属するコミュニティ全体がいまどのような状況であるかを知ることができる。
【０１４９】
図２１にＳ５０３における表示部１０７を拡大して一例を示す説明図を示す。図２１に示す例では、第二状況情報の値が１、即ち使用者の状況が「興奮」である場合を示している。図２１に示すように表示部１０７には、「興奮」を示す色である赤（図中では黒で示される）が表示されている。
【０１５０】
そして、この第二状況情報を、無線にて送受信部１０９から送信し（Ｓ５０４）、メイン処理に戻る。
【０１５１】
ここで、状況収集端末からの無線が届く範囲に配置し、Ｓ５０４で送信された第二状況情報を受信した第一状況通信端末１は、上述したＳ１７において（図７参照）、この第二状況情報の値を受信データ記憶領域１３５に記憶する。したがってＳ１８では、この第二状況情報の値に対応した色（即ち、この第一状況通信端末１が属するコミュニティの全使用者の状況に対応した色）をＬＥＤ１９は発光する。
【０１５２】
Ｓ５０２にて、ＩＤ用赤外線センサ１１２に入力があると判断した場合は（Ｓ５０２：ｙｅｓ）、指定ＩＤ領域３０５にＩＤカード１１６に記憶されているＩＤ番号を記憶して、計時装置１０５を起動して時間の計測を開始する（Ｓ５０５）。そして時間の計測を開始してから５秒経過したか否かを判断する（Ｓ５０６）。
【０１５３】
５秒経過していない場合は（Ｓ５０６：ｎｏ）、メンブレンスイッチ１１３に入力があるか否かの判断が行なわれる（Ｓ５０７）。このとき所定時間（例えば３秒）メンブレンスイッチ１１３の入力を受付け、その間に何回入力があったかについてを記憶しておく。
【０１５４】
メンブレンスイッチ１１３に入力がない場合は（Ｓ５０７：ｎｏ）、Ｓ５０６へ戻る。５秒経過してもメンブレンスイッチ１１３に入力がなかった場合は（Ｓ５０６：ｙｅｓ）、Ｓ５０３へ進み、表示部１０７には全端末データ記憶領域３０３に自身のＩＤ番号に対応して記憶されている状況の値に対応する色を表示する。
【０１５５】
５秒以内にメンブレンスイッチ１１３に入力があった場合は（Ｓ５０７：ｙｅｓ）、その入力が１回であるか否かを判断する（Ｓ５０８）
メンブレンスイッチ１１３の入力が１回である場合は（Ｓ５０８：ｙｅｓ）、指定ＩＤ領域３０５に記憶されたＩＤ番号を読み出し、全端末データ記憶領域３０３を参照し、そのＩＤ番号の状況の値に対応する色を表示部１０７に表示する（Ｓ５０９）。
【０１５６】
ここでＩＤカード１１６には、上述したように、第一状況通信端末１に付されたＩＤ番号若しくは第二状況通信端末２に付されたＩＤ番号若しくは状況収集端末１００に付されたＩＤ番号のうちいずれかのＩＤ番号が記憶されている。
【０１５７】
したがって、ＩＤカード１１６に記憶されたＩＤ番号が第一状況通信端末１のものであれば、その第一状況通信端末１の使用者の状況が表示される。ＩＤカード１１６に記憶されたＩＤ番号が第二状況通信端末２のものであれば、その第二状況通信端末２の使用者の状況が表示される。ＩＤカード１１６に記憶されたＩＤ番号が状況収集端末１００のものであれば、その状況収集端末１００の全使用者の状況が表示される。
【０１５８】
図２２にＳ５０９における表示部１０７を拡大して一例を示す説明図を示す。図２２に示す例では、ＩＤカード１１６で指定されるＩＤ番号の端末の使用者の状況の値が３（眠い）である場合を示している。図２２に示すように表示部１０７には、「眠い」を示す色である緑（図中では白で示される）が表示されている。
【０１５９】
その後、そのＩＤ番号の状況の値を送信し（Ｓ５１０）、メイン処理に戻る。
【０１６０】
Ｓ５０８にてメンブレンスイッチ１１３の入力が１回でないと判断した場合は（Ｓ５０８：ｎｏ）、メンブレンスイッチ１１３の入力が２回であるか否かを判断する（Ｓ５１１）。
【０１６１】
メンブレンスイッチ１１３の入力が２回の場合は（Ｓ５１１：ｙｅｓ）、全端末データ記憶領域３０３を参照し、自身のＩＤ番号の状況に対応する色と、指定ＩＤ領域３０５に記憶されたＩＤ番号の状況に対応する色とを並べて、表示部１０７に表示する（Ｓ５１２）。
【０１６２】
図２３にＳ５１２における表示部１０７を拡大して一例を示す説明図を示す。図２３に示す例では、全端末データ記憶領域３０３に記憶された自身のＩＤ番号に対応する状況の値が１（興奮）であり、指定ＩＤ領域３０５に記憶されたＩＤ番号に対応する状況の値が３（眠たい）である場合を考える。この場合、表示部１０７の左半分には自身のＩＤ番号に対応する状況を示す赤色（図中では黒で示される）を表示し、表示部１０７の右半分には指定ＩＤ領域３０５に記憶されたＩＤ番号に対応する状況の緑色（図中では白で示される）を表示する。
【０１６３】
このように表示部１０７に表示をさせた後、ＩＤカード１１６に記憶されたＩＤ番号の状況の値を無線にて送受信部１０９から送信し（Ｓ５１３）、メイン処理に戻る。
【０１６４】
Ｓ５１１において、メンブレンスイッチ１１３が２回押されていないと判断した場合は（Ｓ５１１：ｎｏ）、全端末データ記憶領域３０３に記憶されている自身のＩＤ番号の状況の値と、指定ＩＤ領域３０５に記憶されているＩＤ番号の状況の値とに基づいて、第三状況情報を算出する（Ｓ５１４）。具体的には、自身のＩＤの状況の値と、指定ＩＤ領域３０５に記載されているＩＤ番号の状況の値とを足して、２で割り、第三状況情報の値を算出する。
【０１６５】
そして算出した第三状況情報の値を第三状況情報記憶領域３０４に記憶する（Ｓ５１５）。
【０１６６】
第三状況情報記憶領域３０４に記憶した第三状況情報に基づいて、表示部１０７の表示を制御する（Ｓ５１６）。
【０１６７】
図２４にＳ５１６における表示部１０７を拡大して一例を示す説明図を示す。図２４に示す例では、第三状況情報記憶領域３０４に記憶された第三状況情報の値が２（落ち込み）である場合を示している。図２４に示すように表示部１０７には、「落ち込み」を示す色である青（図中ではグレーで示される）が表示されている。
【０１６８】
その後、第三状況情報の値を無線にて送受信部１０９から送信し（Ｓ５１７）、メイン処理に戻る。
【０１６９】
このように、表示部制御処理を終了すると、メイン処理のＳ７２に戻り、ＣＰＵ１０１はＳ７２〜Ｓ７４の処理を繰り返す（図１７参照）。
【０１７０】
次に、第二状況通信端末２について説明する。
【０１７１】
図２５は第二状況通信端末２を前方から見た概略図である。第二状況通信端末２は、筐体表面に心拍センサ２１６、体温センサ２１７、発汗センサ２１８が配置されており、外観は第一状況通信端末１と同様である。
【０１７２】
第二状況通信端末２の表面にはＩＤカード１１６が差し込まれる差込口２１１５が形成されている。
【０１７３】
図２６は第二状況通信端末２の電気的構成を示すブロック図である。図２６に示すように、第二状況通信端末２の筐体内部には、第二状況通信端末２の制御を司るＣＰＵ２１１がもうけられている。ＣＰＵ２１１にはバス２２２を介して、制御プログラム等を記憶したＲＯＭ２１２、各種のデータを一時的に記憶するＲＡＭ２１３、各種のデータを記憶するＨＤ２２３、時間を計測する計時装置２１４、インターネット３と情報の通信を行なうためのインターネット通信部２１０８、各種モジュールを接続するためのＩ／Ｏインタフェース２２１が接続されている。そして図示しないが、第二状況通信端末２はバッテリーにより電源供給されている。
【０１７４】
また、第二状況通信端末２は各種センサ２１６〜２１８及びＩＤ用赤外線センサ２１１２が接続されるＡＤ変換器２２０を具備している。ＡＤ変換器２２０はＩ／Ｏインタフェース２２１及びバス２２２を介してＣＰＵ２１１に接続しており、各種センサ２１６〜２１８及びＩＤ用赤外線センサ２１１２から入力されるアナログデータの計測値が、ＡＤ変換機２２０によりデジタルデータに変換されてＣＰＵ２１１に入力される。
【０１７５】
また、ＬＥＤ２１９はＩ／Ｏインタフェース２２１及びバス２２２を介してＣＰＵ２１１に接続しており、ＣＰＵから出力される指示信号がＩ／Ｏインタフェース２２１及びバス２２２を介してＬＥＤ２１９に入力される。
【０１７６】
ＲＡＭ２１３の記憶領域の構成について説明する。図２７はＲＡＭ２１３の記憶領域の構成を示す概略図である。
【０１７７】
図２７に示すようにＲＡＭ２１３は第一バッファ２１３１、第二バッファ２１３２、使用者更新フラグ記憶領域２１３３、送信データ記憶領域２１３４、全端末データ記憶領域２３０３、指定ＩＤ領域２３０５、作業領域２１３７を備えている。
【０１７８】
第一バッファ２１３１、第二バッファ２１３２、使用者更新フラグ記憶領域２１３３、送信データ記憶領域２１３４、及び、作業領域２１３７については第一状況通信端末１の第一バッファ１３１、第二バッファ１３２、使用者更新フラグ記憶領域１３３、送信データ記憶領域１３４、及び、作業領域１３７と同様であるので説明を省略する。
【０１７９】
また、全端末データ記憶領域２３０３、及び、指定ＩＤ領域２３０５は状況収集端末１００の全端末データ記憶領域３０３、及び、指定ＩＤ領域３０５と同様であるので説明を省略する。
【０１８０】
次にＨＤ２２３の記憶領域の構成について説明する。図２８はＨＤ２２３の記憶領域の構成を示す概略図である。
【０１８１】
図２８に示すようにＨＤ２２３は平均値記憶領域２２３１、及び、推論テーブル２２３２とを備える。平均値記憶領域２２３１、及び、推論テーブル２２３２は第一状況通信端末１の平均値記憶領域２３１、及び、推論テーブル２３２と同様である。
【０１８２】
次に第二状況通信端末２の動作について説明する。図２９は第二状況通信端末２のＣＰＵ２１１が実行するメイン処理のフローチャートである。図示しない電源ボタンが押下され、電源がオンされると開始する。
【０１８３】
このメイン処理におけるＳ６１１〜Ｓ６１５までは、第一状況通信端末１のメイン処理（図７参照）のＳ１１〜Ｓ１５までの処理と同様であるため説明を省略する。
【０１８４】
即ち、Ｓ６１５の推論処理が終了すると、第二状況通信端末２の使用者の状況を示す第一状況情報と自身のＩＤ番号とを、インターネット通信部２１０８からインターネット４を介してサーバ３に送信されたことになる。
【０１８５】
第二状況通信端末２から、ＩＤ番号と、第一状況情報とを受信したサーバ３は、全端末分のデータを更新し、更新した全端末分のデータを第二状況通信端末２に送信する。
【０１８６】
ＣＰＵ２１１は、このようにしてサーバ３から送信された全端末分のデータを受信すると（Ｓ６１６）、受信した全端末分のデータを全端末データ記憶領域２３０４に記憶する（Ｓ６１７）。このとき、前に記憶された全端末分のデータが全端末データ記憶領域２３０４に存在する場合は、受信した全端末文のデータを上書きする。
【０１８７】
そしてＩＤ用赤外線センサ２１１２に入力があるか否かを判断する（Ｓ６１８）。
【０１８８】
ＩＤ用赤外線センサ１１に入力がない場合（Ｓ６１８：ｎｏ）、全端末データ記憶領域２３０３に記憶されている、自身のＩＤ番号に対応する状況の値（即ち第一状況情報）を参照し、その値に対応する色をＬＥＤ２１９にて発光させて（Ｓ６２２）、Ｓ６１４に戻る。
【０１８９】
Ｓ６１８にて、ＩＤ赤外線センサ２１１２に入力があると判断した場合は（Ｓ６１８：ｙｅｓ）、指定ＩＤ領域２３０５に、ＩＤカード２１１６に記憶されているＩＤ番号を記憶し、指定ＩＤ領域２３０５に記憶されたＩＤ番号を読み出し、全端末データ記憶領域２３０３を参照し、そのＩＤ番号の状況の値に対応する色、及び、自身のＩＤ番号の状況の値に対応する色をＬＥＤ２１９にて発光させる（Ｓ６１９）。
【０１９０】
その後、電源がオフされるか否かを判断し（Ｓ６２０）、電源がオフされない場合は（Ｓ６２０：ｎｏ）、Ｓ６１４に戻る。電源がオフされる場合は（Ｓ６２０：ｙｅｓ）、全ての処理を終了し（Ｓ６２１）メイン処理を終了する。
【０１９１】
本発明は、上記した実施形態に限定されるものではなく、本発明の要旨を逸脱しない範囲内において種々変更を加え得ることは勿論である。
【０１９２】
例えば、上記実施形態では、状況収集端末１００は第二状況情報を第一状況通信端末１に送信するものとして説明したが、第二状況情報を第一状況通信端末１に送り返さずに、単に、第二状況情報を単にサーバ３へ送信するだけのものであっても良い。
【０１９３】
サーバ３には状況収集端末１００から受信した第二状況情報が記憶されるので、サーバ３にアクセスできる他の端末（例えば、パーソナルコンピュータ等）を用いれば、その端末の使用者は、第二状況情報を送信した状況収集端末１００の使用者の全体の状況を知ることができる。
【０１９４】
また、上記実施形態では、状況収集端末１００Ａは、サーバ３に通信可能な他の端末である第二状況通信端末２で算出された第一状況情報、若しくは、状況収集端末１００Ｂで算出された第二状況情報を、サーバ３から受信するものとして説明したが、状況収集端末１００は、単にサーバ３にデータを送信するのみで、サーバ３からデータを受信しなくてもよい。
【０１９５】
また、上記実施形態では、状況収集端末１００は第三状況情報を算出するものとして説明したが、第三状況情報を算出せずに、単にサーバ３から、サーバ３に通信可能な他の端末において算出された第一状況情報または第二状況情報等のデータを受信するのみであってもよい。
【０１９６】
また、上記実施形態では、状況収集端末１００は第三状況情報を無線通信可能な範囲に存在する第一状況通信端末１に送信するものとして説明したが、第三状況情報を無線通信可能な範囲に存在する第一状況通信端末１に送信せずに、単に第三状況情報に基づいて表示部１０７の表示を制御するのみであってもよい。
【０１９７】
また、上記実施形態では、状況収集端末１００はＩＤカード１１６が差し込まれる差込口１１５及びＩＤ用赤外線センサ１１２を備え、サーバ３からＩＤカード１１６で指定されたＩＤ番号の端末のデータを含む全てのデータを受信するものとして説明したが、ＩＤカード１１６で指定されたＩＤ番号の端末のデータのみを受信するようにしてもよい。
【０１９８】
また、上記実施形態では、状況収集端末１００は表示部１０７を備え、表示部１０７の表示を第一状況情報、第二状況情報、第三状況情報等に基づいて制御するものとして説明したが、表示部１０７を備えず、単に第一状況通信端末１とサーバ３との間で各種データを送受信するだけであってもよい。
【０１９９】
また、上記実施形態では、状況収集端末１００は各使用者の状況を表示部１０７に表示する色を変化させることによって表現したが、表示部１０７に各状況にあわせたイラストや動画を表示させることにより、各使用者の状況を表現してもよい。
【０２００】
また、上記実施形態では、状況収集端末１００は、表示部制御処理のＳ５０７におけるメンブレンスイッチ１１３の入力回数に基づいて、表示部１０７にいずれの使用者の状況を表示するかを制御したが、表示部１０７にいずれの使用者の状況を表示するのかを、時間とともに自動的に変化させるように制御してもよい。例えば、５秒ごとに表示部１０７の表示を切換える。
【０２０１】
また、上記実施形態では、状況収集端末１００は、表示部制御処理のＳ５０７におけるメンブレンスイッチ１１３の入力回数に基づいて、表示部１０７にいずれの使用者の状況を表示するかを制御したが、メンブレンスイッチ１１３に入力が一回ある毎に、表示部１０７の表示を切換えるように制御してもよい。
【０２０２】
また、上記実施形態では、第一状況通信端末１及び第二状況通信端末２は、心拍センサ、体温センサ１７、発汗センサ１８からの計測値に基づいて使用者の状況を推論したが、その他のセンサを用いて、使用者の状況を推論するようにしてもよい。
【０２０３】
また、上記実施形態では、第一状況通信端末１及び第二状況通信端末２は、心拍センサ、体温センサ１７、発汗センサ１８からの計測値に基づいて使用者の状況を推論したが、各端末の周辺環境の情報を計測するセンサを用いて、各端末の周辺環境の状況を推論するようにしてもよい。
【０２０４】
また、上記実施形態では、表示部１０７に表示させるデータと、送受信部１０９により送信するデータが同一であったが、表示部１０７に表示させるデータと、送受信部１０９により送信するデータを異ならせても良い。例えば、表示部１０７の表示を第二状況情報に基づいて制御させ、送受信部１０９から送信するデータを第三状況情報にしてもよい。
【０２０５】
また、上記実施形態では、Ｓ２７６にて、収集データ記憶領域３０１に記憶されているすべての第一状況情報の値を総和して、第一状況情報を収集した第一状況通信装置の数で割って平均値を四捨五入し、その値を第二状況情報の値として算出するとして説明したが、これに限るものではない。
【０２０６】
例えば、所定時間（例えば、１０秒）に受信した第一状況情報により示されている状況を種類ごとにカウントし、最も多い状況を第二状況情報として算出するようにしてもよい。
【０２０７】
また、状況の種類ごとに段階的に割り当てられる重みであるレベル値を割り当てて、各状況の件数とレベル値とを乗じた値の平均値を算出し、件数とレベル値との積が最も平均値に近い状況を第二状況情報として算出するようにしてもよい。
【０２０８】
また、状況の種類ごとにレベル値を割り当てて、最も高いレベル値の状況を第二状況情報として算出するようにしてもよい。
【０２０９】
また、状況の種類ごとに重み係数を割り当てて、各状況の件数と重み係数とを乗じた値が最も大きい状況を第二状況情報として算出するようにしてもよい。
【０２１０】
また、所定時間（例えば、１０秒）に最初に受信した第一状況情報により示されている状況を第二状況情報として算出するようにしてもよい。
【０２１１】
また、所定時間（例えば、１０秒）に最も多くの第一状況情報を送信した状況通信端末１の最後の第一状況情報により示されている状況を第二状況情報として算出するようにしてもよい。
【０２１２】
また、最も短い間隔で第一状況情報を送信した状況通信端末１の最後の第一状況情報により示されている状況を第二状況情報として算出するようにしてもよい。
【０２１３】
また、上記実施形態では、Ｓ５１４にて、自身のＩＤの状況の値と、指定ＩＤ領域３０５に記載されているＩＤ番号の状況の値とを足して、２で割り、第三状況情報の値を算出するとして説明したが、これに限るものではない。
【０２１４】
例えば、状況収集端末１００が第一状況情報を第一状況通信端末１から情報を収集する際、収集した第一状況通信端末１の使用者の総数も記憶させておく。そして、状況収集端末１００がサーバ３へデータを送信する際、第一状況情報を収集した第一状況通信手段の使用者の総数も同時に送信させ、サーバ３はその総数と共にＩＤ番号及び状況の値を記憶させておく。このようにすれば、自身のＩＤの状況の値と自身の使用者の総数とを乗じた数と、指定されたＩＤ番号の状況の値とその端末の使用者の総数とを乗じた数とを足して、その数を全ての使用者の総数（自身の使用者の総数と指定された端末の使用者の総数とを足した数）で割った値を四捨五入した値を、第三状況情報として算出するようにしてもよい。
【図面の簡単な説明】
【０２１５】
【図１】状況通信システムのシステム全体を示す概略図。
【図２】状況通信端末１を前方から見た概略図。
【図３】状況通信端末１の電気的構成を示すブロック図。
【図４】ＲＡＭ１３の記憶領域の構成を示す模式図。
【図５】ＨＤ２３の記憶領域の構成を示す模式図。
【図６】推論テーブル２３２を示す説明図。
【図７】状況通信端末１のＣＰＵ１１が行なうメイン処理のフローチャート。
【図８】計測処理のフローチャート。
【図９】推論処理のフローチャート。
【図１０】心拍分類処理のフローチャート。
【図１１】体温分類処理のフローチャート。
【図１２】発汗量分類処理のフローチャート。
【図１３】状況収集端末１００の斜視図。
【図１４】状況収集端末１００の電気的構成を示すブロック図。
【図１５】ＲＡＭ１０３の構成を示す模式図。
【図１６】全端末データ記憶領域３０３の模式図。
【図１７】状況収集端末１００のＣＰＵ１０１が行なうメイン処理のフローチャート。
【図１８】収集処理のフローチャート。
【図１９】インターネット通信処理のフローチャート。
【図２０】表示部制御処理のフローチャート。
【図２１】Ｓ５０３における表示部１０７を拡大して一例を示す説明図。
【図２２】Ｓ５０９における表示部１０７を拡大して一例を示す説明図。
【図２３】Ｓ５１２における表示部１０７を拡大して一例を示す説明図。
【図２４】Ｓ５１６における表示部１０７を拡大して一例を示す説明図。
【図２５】第二状況通信端末２を前方から見た概略図。
【図２６】第二状況通信端末２の電気的構成を示すブロック図。
【図２７】ＲＡＭ２１３の記憶領域の構成を示す概略図。
【図２８】ＨＤ２２３の記憶領域の構成を示す概略図。
【図２９】第二状況通信端末２のＣＰＵ２１１が実行するメイン処理のフローチャート。
【符号の説明】
【０２１６】
１  第一状況通信端末
２  第二状況通信端末
３  サーバ
４  インターネット
１１、１０１、２１１  ＣＰＵ
１２、１０２、２１２  ＲＯＭ
１３、１０３、２１３  ＲＡＭ
１４、１０５、２１４  計時装置
１５、１０９  送受信部
１６、２１６、  心拍センサ
１７、２１７  体温センサ
１８、２１８  発汗センサ
１９、２１９  ＬＥＤ
２０、１１１、２２０  ＡＤ変換器
２１、２２１  Ｉ／Ｏインターフェース
２２  バス
２３、２２３  ＨＤ
１００  状況収集端末
１０６  表示制御部
１０７  表示部
１０８、２１０８  インターネット通信部
１１０  インターフェース
１１２、２１１２  ＩＤ用赤外線センサ
１１３  メンブレンスイッチ
１１５、２１１５  差込口
１１６  ＩＤカード
【図１】
2007173895.tif 000003
【図２】
2007173895.tif 000004
【図３】
2007173895.tif 000005
【図４】
2007173895.tif 000006
【図５】
2007173895.tif 000007
【図６】
2007173895.tif 000008
【図７】
2007173895.tif 000009
【図８】
2007173895.tif 000010
【図９】
2007173895.tif 000011
【図１０】
2007173895.tif 000012
【図１１】
2007173895.tif 000013
【図１２】
2007173895.tif 000014
【図１３】
2007173895.tif 000015
【図１４】
2007173895.tif 000016
【図１５】
2007173895.tif 000017
【図１６】
2007173895.tif 000018
【図１７】
2007173895.tif 000019
【図１８】
2007173895.tif 000020
【図１９】
2007173895.tif 000021
【図２０】
2007173895.tif 000022
【図２１】
2007173895.tif 000023
【図２２】
2007173895.tif 000024
【図２３】
2007173895.tif 000025
【図２４】
2007173895.tif 000026
【図２５】
2007173895.tif 000027
【図２６】
2007173895.tif 000028
【図２７】
2007173895.tif 000029
【図２８】
2007173895.tif 000030
【図２９】
2007173895.tif 000031